(57)【要約】【課題】天井パネルを天井の梁に固定する作業を効率的に行うことが可能な天井吊治具を提供する。【解決手段】天井の梁Ｂに引っ掛けられることで支持される支持部１１・２１と、梁Ｂの下方に配置された天井パネルＡの下面を受けることで当該天井パネルＡを保持する保持部１２・２２と、支持部１１・２１と保持部１２・２２とを接続する接続部１３・２３と、磁石によって構成され、梁Ｂに吸着可能な吸着部１４・２４と、を具備する。【選択図】図３
2018104989.tif 000002
【特許請求の範囲】
【請求項１】
天井の梁に支持される支持部と、
梁の下方に配置された天井パネルを保持する保持部と、
支持部と保持部とを接続する接続部と、
を具備する、
天井吊治具。
【請求項２】
支持部は、
接続部から突出し、梁に引っ掛けられることで支持される、
請求項１に記載の天井吊治具。
【請求項３】
保持部は、
接続部から突出し、天井パネルの下面を受けることで保持する、
請求項１又は請求項２に記載の天井吊治具。
【請求項４】
梁に吸着可能な吸着部をさらに具備する、
請求項１から請求項３までのいずれか一項に記載の天井吊治具。
【請求項５】
吸着部は、
磁石によって構成される、
請求項４に記載の天井吊治具。
【請求項６】
支持部、保持部及び接続部は、
一枚の板状部材に一体的に形成される、
請求項１から請求項５までのいずれか一項に記載の天井吊治具。
【請求項７】
板面の向きが互いに異なる一対の板状部材によって構成される、
請求項６に記載の天井吊治具。
【請求項８】
一対の板状部材は、
互いに開閉自在に連結される、
請求項７に記載の天井吊治具。
【発明の詳細な説明】
【技術分野】
【０００１】
本発明は、天井パネルを天井の梁に固定する際に用いられる天井吊治具の技術に関する。
【背景技術】
【０００２】
従来、天井パネルを天井の梁に固定する際に用いられる天井吊治具の技術は公知となっている。例えば、特許文献１に記載の如くである。
【０００３】
特許文献１に記載される天井吊治具（組付け治具）は、長尺の水平部材及び複数の取付け部を具備する。複数の取付け部は、互いに間隔を空けて水平部材に固定される。複数の取付け部は、それぞれ複数の天井パネルにビスで固定されることで、複数の天井パネル同士を接続する。当該複数の天井パネルは、吊り上げられて梁に対して位置合わせされた後で、梁に固定される。その後、前記天井吊治具は、複数の天井パネルから取り外される。
【０００４】
特許文献１に記載される天井吊治具は、複数の天井パネルから取り外すために、工具を用いてビスを取り外す必要がある。このため、天井パネルを梁に固定する作業を効率的に行うことが困難であった。
【先行技術文献】
【特許文献】
【０００５】
【特許文献１】特許第５０６４９４８号公報
【発明の概要】
【発明が解決しようとする課題】
【０００６】
本発明は、以上の如き状況を鑑みてなされたものであり、その解決しようとする課題は、天井パネルを天井の梁に固定する作業を効率的に行うことが可能な天井吊治具を提供するものである。
【課題を解決するための手段】
【０００７】
本発明の解決しようとする課題は以上の如くであり、次にこの課題を解決するための手段を説明する。
【０００８】
即ち、請求項１においては、天井の梁に支持される支持部と、梁の下方に配置された天井パネルを保持する保持部と、支持部と保持部とを接続する接続部と、を具備するものである。
【０００９】
請求項２においては、支持部は、接続部から突出し、梁に引っ掛けられることで支持されるものである。
【００１０】
請求項３においては、保持部は、接続部から突出し、天井パネルの下面を受けることで保持するものである。
【００１１】
請求項４においては、梁に吸着可能な吸着部をさらに具備するものである。
【００１２】
請求項５においては、吸着部は、磁石によって構成されるものである。
【００１３】
請求項６においては、支持部、保持部及び接続部は、一枚の板状部材に一体的に形成されるものである。
【００１４】
請求項７においては、板面の向きが互いに異なる一対の板状部材によって構成されるものである。
【００１５】
請求項８においては、一対の板状部材は、互いに開閉自在に連結されるものである。
【発明の効果】
【００１６】
本発明の効果として、以下に示すような効果を奏する。
【００１７】
請求項１においては、天井パネルを天井の梁に固定する作業を効率的に行うことができる。
【００１８】
請求項２においては、支持部を梁に簡単に支持させることができる。
【００１９】
請求項３においては、天井パネルを保持部で簡単に保持できる。
【００２０】
請求項４においては、支持部を梁から外れ難くすることができる。
【００２１】
請求項５においては、金属製の梁に吸着部を簡単に吸着させることができる。
【００２２】
請求項６においては、天井吊治具の構成を簡素化できる。
【００２３】
請求項７においては、向きが互いに異なる複数の部材をまとめて仮固定することができる。
【００２４】
請求項８においては、天井吊治具を持ち運び易くなる。
【図面の簡単な説明】
【００２５】
【図１】（ａ）天井吊治具を示した左前方斜視図。（ｂ）同じく、右後方斜視図。
【図２】第一の板材及び第二の板材を閉じて天井パネルを仮固定する様子を示した一部断面斜視図。
【図３】第一の板材及び第二の板材を開いて天井パネルを仮固定する様子を示した一部断面斜視図。
【図４】天井パネル及び梁を示した右側面図。
【図５】同じく、斜視図。
【図６】別実施形態に係る天井吊治具を示した斜視図。
【発明を実施するための形態】
【００２６】
以下の説明においては、図中に記した矢印に従って、上下方向、左右方向及び前後方向をそれぞれ定義する。
【００２７】
以下では、本発明の一実施形態に係る天井吊治具１について説明する。
【００２８】
天井吊治具１は、図４に示す天井パネルＡを天井の梁Ｂに固定する際に用いられるものである。
【００２９】
まず、図４及び図５を参照して、天井パネルＡ及び梁Ｂの構成について簡単に説明する。
【００３０】
天井パネルＡは、建物の天井面を構成するためのものである。また、天井パネルＡは、格子状に形成される枠体である。図５において、天井パネルＡは、左右方向に並んで二つ配置される。天井パネルＡは、長尺材Ａ１〜Ａ３及び短尺材Ａ４〜Ａ８を具備する。
【００３１】
長尺材Ａ１〜Ａ３は、その長手方向を前後方向に向けた略直方体状の部材である。長尺材Ａ１〜Ａ３は、木材によって構成される。長尺材Ａ１〜Ａ３は、左右方向に間隔をあけて三つ配置される。長尺材Ａ１〜Ａ３は、左側に配置される長尺材Ａ１から順に符号に付した数字が大きくなっている。左右中央の長尺材Ａ２は、左側及び右側の長尺材Ａ１・Ａ３よりもその高さが低くなっている。
【００３２】
短尺材Ａ４〜Ａ８は、その長手方向を左右方向に向けて配置される略直方体状の部材である。短尺材Ａ４〜Ａ８は、前後方向に間隔をあけて五つ配置される。短尺材Ａ４〜Ａ８は、前側に配置される短尺材Ａ４から順に符号に付した数字が大きくなっている。短尺材Ａ４〜Ａ８は、その長さ（左右方向幅）が長尺材Ａ１〜Ａ３の長さ（前後方向幅）よりも短くなるように形成される。短尺材Ａ４〜Ａ８の左端部は、左側の長尺材Ａ１に固定される。短尺材Ａ４〜Ａ８の右端部は、右側の長尺材Ａ３に固定される。短尺材Ａ４〜Ａ８は、その左右中央部に凹部が形成されており、当該凹部に左右中央の長尺材Ａ２が挿通されて固定される。
【００３３】
なお、天井パネルＡは、天井の全域に亘って適宜並んで配置されている。すなわち、天井パネルＡは、図５に示す天井パネルＡ以外にも前後方向及び左右方向に並んで複数配置されている。
【００３４】
梁Ｂは、その長手方向を左右方向（短尺材Ａ４〜Ａ８の長手方向と同一方向）に向けて配置される。梁Ｂには、金具Ｃを介して天井パネルＡが固定される。本実施形態に係る梁Ｂは、Ｈ形鋼によって構成される。図４及び図５において、梁Ｂは、前後方向に間隔を空けて三つ配置される。前側の梁Ｂの下方には、前端部の短尺材Ａ４が配置される。前後中央の梁Ｂの下方には、前後中央の短尺材Ａ６が配置される。後側の梁Ｂの下方には、後端部の短尺材Ａ８が配置される。梁Ｂは、上フランジＢ１、下フランジＢ２及びウェブＢ３を具備する。
【００３５】
上フランジＢ１は、梁Ｂの上部に形成される板状の部分である。下フランジＢ２は、梁Ｂの下部（上フランジＢ１の下方）に形成される板状の部分である。上フランジＢ１及び下フランジＢ２は、その板面を上下方向に向けて互いに対向するように配置される。
【００３６】
ウェブＢ３は、梁Ｂの上下中途部に形成される板状の部分である。ウェブＢ３は、その板面を前後方向に向けて配置される。ウェブＢ３は、その上端部が上フランジＢ１の前後中央部と接続される。ウェブＢ３は、その下端部が下フランジＢ２の前後中央部と接続される。
【００３７】
なお、梁Ｂは、天井の全域に亘って間隔をあけて複数配置されている。より詳細には、梁Ｂは、図４及び図５に示す梁Ｂ以外にも前後方向に間隔をあけて複数配置されている。また、梁Ｂは、その長手方向を前後方向に向けたものが左右方向に間隔をあけて複数配置されている。
【００３８】
次に、図１を参照して、天井吊治具１の構成について説明する。天井吊治具１は、天井パネルＡを梁Ｂに仮固定するためのものである。なお、本実施形態において仮固定とは、天井吊治具１を天井パネルＡ及び梁Ｂから簡単に（例えば、作業者が工具を用いることなく）外せるような状態で、天井パネルＡを梁Ｂに固定することを指す。天井吊治具１は、第一の板材１０、第二の板材２０及びヒンジ３０を具備する。
【００３９】
第一の板材１０は、その上部及び下部が前方に突出するような側面視略Ｃ字状に形成される板状部材である。第一の板材１０は、支持部１１、保持部１２、接続部１３及び吸着部１４を具備する。
【００４０】
支持部１１は、第一の板材１０の上部（前方に突出する部分）である。支持部１１は、その突出している長さ（前後方向幅）が梁Ｂの下フランジＢ２の短手方向幅（前後方向幅）の半分程度となるような側面視略矩形状に形成される（図２参照）。支持部１１は、切欠部１１ａを具備する。切欠部１１ａは、支持部１１の前上端部を前下方に切り欠いたような形状に形成される。
【００４１】
保持部１２は、第一の板材１０の下部（前方に突出する部分）である。保持部１２は、その突出している長さ（前後方向幅）が支持部１１の突出している長さ（前後方向幅）よりも長い側面視略矩形状に形成される。また、保持部１２は、その突出している長さが長尺材Ａ１〜Ａ３（図３参照）の短手方向幅（左右方向幅）の２倍程度となるように形成される。保持部１２は、切欠部１２ａを具備する。切欠部１２ａは、保持部１２の前下端部を前上方に切り欠いたような形状に形成される。
【００４２】
接続部１３は、支持部１１と保持部１２とを接続する部分である。接続部１３は、側面視略矩形状に形成される。接続部１３は、第一の板材１０の上端部から下端部までに亘って形成される。接続部１３は、上側切欠部１３ａ及び下側切欠部１３ｂを具備する。上側切欠部１３ａは、接続部１３の後上端部を後下方に切り欠いたような形状に形成される。下側切欠部１３ｂは、接続部１３の後下端部を後上方に切り欠いたような形状に形成される。
【００４３】
吸着部１４は、梁Ｂ（金属製の部材）に吸着可能な部分である。吸着部１４は、略直方体状に形成される。吸着部１４は、その下面が支持部１１の下面と面一となるように、支持部１１の右面の下端部に固定される。吸着部１４は、磁石によって構成される。
【００４４】
このように構成される第一の板材１０は、支持部１１、保持部１２及び接続部１３が合板によって一体的に形成される。
【００４５】
第二の板材２０は、その板面の向きが異なる（前後方向を向けて配置される）点を除いて、第一の板材１０と同様に構成される。すなわち、第二の板材２０は、第一の板材１０の支持部１１、保持部１２、接続部１３及び吸着部１４と同様に構成される支持部２１、保持部２２、接続部２３及び吸着部２４を具備する。また、支持部２１及び保持部２２は、第一の板材１０の支持部１１及び保持部１２の切欠部１１ａ・１２ａと同一形状に形成される切欠部２１ａ・２２ａを具備する。また、接続部２３は、第一の板材１０の接続部１３の上側切欠部１３ａ及び下側切欠部１３ｂと同一形状に形成される上側切欠部２３ａ及び下側切欠部２３ｂを具備する。
【００４６】
ヒンジ３０は、第一の板材１０及び第二の板材２０を開閉自在（相対的に回動自在）に連結する部材である。ヒンジ３０は、第一の板材１０（接続部１３）の左面及び第二の板材２０（接続部２３）の前面に固定される。本実施形態に係るヒンジ３０は、第一の板材１０の板面と第二の板材２０の板面とが成す角度（鋭角）が９０°となるまで、第一の板材１０及び第二の板材２０を開くことができる。また、ヒンジ３０は、第一の板材１０の板面と第二の板材２０の板面とが同一方向を向くまで、第一の板材１０及び第二の板材２０を閉じることができる（図２参照）。
【００４７】
なお、以下においては、第一の板材１０の板面と第二の板材２０の板面とが成す角度が９０°となるまで開いた状態（図１に示す状態）を「全開状態」と称する。また、第一の板材１０の板面と第二の板材２０の板面とが同一方向を向くまで閉じた状態（図２に示す状態）を「全閉状態」と称する。
【００４８】
次に、図２から図５までを参照して、天井吊治具１を用いて天井パネルＡを梁Ｂに固定する手順について説明する。なお、以下においては、図５に示す左側及び右側の天井パネルＡを、図４に示す三つの梁Ｂに固定する手順を例に挙げて説明する。また、以下においては、左側の天井パネルＡを「天井パネルＡ１０」、右側の天井パネルＡを「天井パネルＡ２０」と称する。また、以下においては、前側の梁Ｂを「梁Ｂ１０」、前後中央の梁Ｂを「梁Ｂ２０」、後側の梁Ｂを「梁Ｂ３０」と称する。
【００４９】
まず、左側の天井パネルＡ１０は、図５に示す符号Ｐ１で前側の梁Ｂ１０に仮固定される。このとき、図４及び図５に示すように、天井パネルＡ１０は、作業者に持ち上げられる等して、三つの梁Ｂ１０〜Ｂ３０の下方に移動される。そして、天井パネルＡ１０は、天井吊治具１によって仮固定される。
【００５０】
このとき、図２に示すように、天井吊治具１は、全閉状態となるまで閉じられ、第一の板材１０及び第二の板材２０の板面が左右方向に向けられる。当該第一の板材１０及び第二の板材２０の支持部１１・２１は、前側の梁Ｂ１０の下フランジＢ２に後方から引っ掛けられて当該下フランジＢ２に支持される。このとき、保持部１２・２２は、短尺材Ａ４の下方に配置され、当該短尺材Ａ４の下面を受ける。また、吸着部１４・２４は、下フランジＢ２に吸着する。また、接続部１３・２３は、その前面が下フランジＢ２の後端部と当接する。これによって、天井吊治具１は、梁Ｂ１０及び天井パネルＡ１０に後方から取り付けられる。以上によって、天井吊治具１は、符号Ｐ１で短尺材Ａ４を梁Ｂ１０に仮固定する。
【００５１】
本実施形態に係る天井吊治具１は、前側の梁Ｂ１０に支持部１１・２１を引っ掛けるだけ（単純な動作）で、支持部１１・２１を梁Ｂ１０に支持させることができると共に、保持部１２・２２で短尺材Ａ４を保持することができる。
【００５２】
また、左側の天井パネルＡ１０は、図５に示す符号Ｐ２で後側の梁Ｂ３０に仮固定される。このとき、天井パネルＡ１０は、天井吊治具１（符号Ｐ１で仮固定した天井吊治具１とは異なる天井吊治具１）によって、符号Ｐ１で仮固定された手順と同じ手順により、短尺材Ａ８が梁Ｂ３０に仮固定される。
【００５３】
次に、右側の天井パネルＡ２０は、図５に示す符号Ｐ３・Ｐ４で天井吊治具１（符号Ｐ１・Ｐ２で仮固定した天井吊治具１とは異なる天井吊治具１）によって仮固定される。このとき、天井パネルＡ２０は、符号Ｐ１・Ｐ２で仮固定された手順と同じ手順により仮固定される。
【００５４】
次に、左側及び右側の天井パネルＡ１０・Ａ２０は、図５に示す符号Ｐ５で天井吊治具１（符号Ｐ１〜Ｐ４で仮固定した天井吊治具１とは異なる天井吊治具１）によって前後中央の梁Ｂ２０に仮固定される。
【００５５】
図３及び図５に示すように、天井吊治具１は、符号Ｐ５で左側及び右側の天井パネルＡ１０・Ａ２０をまとめて仮固定する。このとき、天井吊治具１は、全開状態となるまで開かれる。そして、第一の板材１０は、その板面が左右方向に向けられる。また、第二の板材２０は、その板面が前後方向を向けられる。第一の板材１０の支持部１１は、前後中央の梁Ｂ２０の下フランジＢ２に後方から引っ掛けられて当該下フランジＢ２に支持される。このとき、第一の板材１０の保持部１２は、天井パネルＡ２０の短尺材Ａ６の下方に配置され、当該短尺材Ａ６の下面を受ける。また、第一の板材１０の吸着部１４は、下フランジＢ２に吸着する。また、第一の板材１０の接続部１３は、その前面が下フランジＢ２の後端部と当接する。
【００５６】
また、第二の板材２０の保持部２２は、右側の天井パネルＡ２０の長尺材Ａ１及び左側の天井パネルＡ１０の長尺材Ａ３の下方に配置され、当該長尺材Ａ１・Ａ３の下面を同時に受ける。これによって、天井吊治具１は、前後中央の梁Ｂ２０及び天井パネルＡ１０・Ａ２０に取り付けられる。以上によって、天井吊治具１は、符号Ｐ５で長尺材Ａ１・Ａ３及び短尺材Ａ６（天井パネルＡ１０・Ａ２０）をまとめて梁Ｂ２０に仮固定する。
【００５７】
左側及び右側の天井パネルＡ１０・Ａ２０は、符号Ｐ１〜Ｐ５で三つの梁Ｂ１０〜Ｂ３０に仮固定された後で、梁Ｂ１０〜Ｂ３０に対する位置合わせが行われる。上述の如く、天井吊治具１は、支持部１１・２１が下フランジＢ２に引っ掛けられて支持されているだけである。また、天井吊治具１は、天井パネルＡ１０・Ａ２０の下面を保持部１２・２２で受けているだけである。このため、天井パネルＡ１０・Ａ２０は、簡単に（例えば、前後方向に押されるだけで）梁Ｂ１０〜Ｂ３０に対して相対移動することができる。このように、天井吊治具１によって天井パネルＡ１０・Ａ２０を仮固定することで、天井パネルＡ１０・Ａ２０の位置合わせを簡単に行うことができる。
【００５８】
図４に示すように、左側及び右側の天井パネルＡ１０・Ａ２０は、位置合わせが行われた後で、金具Ｃを介して三つの梁Ｂ１０〜Ｂ３０に固定される。そして、天井吊治具１は、梁Ｂ１０〜Ｂ３０及び天井パネルＡ１０・Ａ２０から引き抜かれることで、梁Ｂ１０〜Ｂ３０等から外される。以上によって、天井吊治具１を用いた天井パネルＡ１０・Ａ２０の固定が完了する。なお、梁Ｂ１０〜Ｂ３０に固定された天井パネルＡ１０・Ａ２０には、下方から天井面を成す面材（不図示）が固定される。
【００５９】
本実施形態に係る天井吊治具１によれば、左側及び右側の天井パネルＡ１０・Ａ２０を三つの梁Ｂ１０〜Ｂ３０に仮固定できるため、当該天井パネルＡ１０・Ａ２０を位置合わせした状態を維持することができる。このため、当該天井パネルＡ１０・Ａ２０を固定する際に当該天井パネルＡ１０・Ａ２０の位置がずれてしまうことを抑制できる。また、梁Ｂ１０〜Ｂ３０等から天井吊治具１を引き抜くだけで、梁Ｂ１０〜Ｂ３０から簡単に（工具等を用いることなく）天井吊治具１を外すことができる。以上により、天井パネルＡ１０・Ａ２０を固定する作業を効率的に行うことができる。
【００６０】
また、天井吊治具１は、吸着部１４・２４を三つの梁Ｂ１０〜Ｂ３０（下フランジＢ２）に吸着させることで、支持部１１・２１を梁Ｂ１０〜Ｂ３０から外れ難くすることができる。これによれば、振動等によって意図しないタイミングで天井吊治具１が梁Ｂ１０〜Ｂ３０から外れてしまうことを抑制できる。
【００６１】
また、本実施形態に係る三つの梁Ｂ１０〜Ｂ３０は、Ｈ形鋼、すなわち金属製の部材によって構成されている。そこで、本実施形態においては、吸着部１４・２４を磁石によって構成している。これによれば、支持部１１・２１を梁Ｂ１０〜Ｂ３０に引っ掛けた際に、吸着部１４・２４を梁Ｂ１０〜Ｂ３０に吸着させることができる。これによって、吸盤等を梁Ｂ１０〜Ｂ３０に吸着させる場合と比較して、吸着部１４・２４を梁Ｂ１０〜Ｂ３０に吸着させる動作が不要となるため、吸着部１４・２４を簡単に吸着させることができる。
【００６２】
また、支持部１１・２１、保持部１２・２２及び接続部１３・２３は、第一の板材１０及び第二の板材２０に一体的に形成されている。これによれば、支持部１１・２１、保持部１２・２２及び接続部１３・２３を一つの部材で形成することができるため、天井吊治具１の部品点数を減らして天井吊治具１の構成を簡素化することができる。また、板状部材を適宜加工する（例えば、矩形状の板状部材を適宜切り欠く）だけで支持部１１・２１、保持部１２・２２及び接続部１３・２３を簡単に形成することができる。
【００６３】
また、天井吊治具１は、ヒンジ３０によって第一の板材１０及び第二の板材２０の板面の向きを互いに異なる向きにする（例えば、全開状態にする）ことができる。これによれば、梁Ｂ１０〜Ｂ３０の長手方向とは長手方向の向きが異なる長尺材Ａ１〜Ａ３を仮固定することができる。これにより、仮固定可能な部材を増やすことができるため、汎用性を向上させることができる。
【００６４】
ここで、例えば、第一の板材１０だけで天井パネルＡ１０・Ａ２０を符号Ｐ５で仮固定しようとすると、天井パネルＡ１０の短尺材Ａ６を仮固定する第一の板材１０と、天井パネルＡ２０の短尺材Ａ６を仮固定する第一の板材１０と、が必要（二枚の第一の板材１０が必要）となる。これに対して、天井吊治具１を全開状態にすれば、第一の板材１０及び第二の板材２０で天井パネルＡ１０・Ａ２０をまとめて仮固定することができる。これにより、第一の板材１０だけで仮固定する場合と比較して、仮固定に要する天井吊治具１の数を減らすことができる。このため、天井パネルＡ１０・Ａ２０（梁Ｂ１０〜Ｂ３０の長手方向に並んだ二つの天井パネルＡ１０・Ａ２０）を仮固定する作業を効率的に行うことができる。
【００６５】
以上の如く、本実施形態に係る天井吊治具１は、天井の梁Ｂに支持される支持部１１・２１と、梁Ｂの下方に配置された天井パネルＡを保持する保持部１２・２２と、支持部１１・２１と保持部１２・２２とを接続する接続部１３・２３と、を具備するものである。
【００６６】
このように構成することにより、天井の梁Ｂに天井パネルＡを仮固定できるため、天井パネルＡを天井の梁Ｂに固定する作業を効率的に行うことができる。
【００６７】
また、支持部１１・２１は、接続部１３・２３から突出し、梁Ｂに引っ掛けられることで支持されるものである。
【００６８】
このように構成することにより、支持部１１・２１を梁Ｂに簡単に（単純な動作で）支持させることができる。
【００６９】
また、保持部１２・２２は、接続部１３・２３から突出し、天井パネルＡの下面を受けることで保持するものである。
【００７０】
このように構成することにより、天井パネルＡを保持部１２・２２で簡単に（単純な動作で）保持できる。
【００７１】
また、梁Ｂに吸着可能な吸着部１４・２４をさらに具備するものである。
【００７２】
このように構成することにより、支持部１１・２１を梁Ｂに対して相対移動させ難くすることができるため、支持部１１・２１を梁Ｂから外れ難くすることができる。
【００７３】
また、吸着部１４・２４は、磁石によって構成されるものである。
【００７４】
このように構成することにより、吸着部１４・２４を金属製の梁Ｂに接近させるだけで、吸着部１４・２４を梁Ｂに簡単に吸着させることができる。
【００７５】
また、支持部１１・２１、保持部１２・２２及び接続部１３・２３は、一枚の第一の板材１０及び第二の板材２０（板状部材）に一体的に形成されるものである。
【００７６】
このように構成することにより、天井吊治具１の部品点数を減らすことができるため、天井吊治具１の構成を簡素化できる。
【００７７】
また、板面の向きが互いに異なる第一の板材１０及び第二の板材２０（一対の板状部材）によって構成されるものである。
【００７８】
このように構成することにより、向きが互いに異なる複数の部材（長手方向の向きが互いに異なる長尺材Ａ１〜Ａ３及び短尺材Ａ４〜Ａ８）をまとめて仮固定することができる。これによれば、仮固定に要する天井吊治具１の数を減らして、複数の天井パネルＡ１０・Ａ２０を仮固定する作業を効率的に行うことができる。また、梁Ｂに対して向きが異なる部材（長尺材Ａ１〜Ａ３）を当該梁Ｂに仮固定することができる。
【００７９】
また、第一の板材１０及び第二の板材２０は、互いに開閉自在に連結されるものである。
【００８０】
このように構成することにより、第一の板材１０及び第二の板材２０を閉じた状態で持ち運ぶことができるため、天井吊治具１を持ち運び易くなる。
【００８１】
なお、本実施形態に係る第一の板材１０及び第二の板材２０は、本発明に係る板状部材の実施の一形態である。
【００８２】
また、本実施形態において、支持部１１・２１は、接続部１３・２３に対する突出幅（図２に示す状態においては前後方向の長さ）が梁Ｂの下フランジＢ２の短手方向幅（前後方向幅）の半分程度となっている。このように構成することにより、支持部１１・２１が梁Ｂに引っ掛けられた（支持された）際に、接続部１３・２３が梁Ｂから大きく離間してしまうことを抑制できる。このため、仮固定に要するスペースを低減することができる。
【００８３】
また、本実施形態においては、支持部１１・２１及び保持部１２・２２が切欠部１１ａ・１２ａ・２１ａ・２２ａを具備すると共に、接続部１３・２３が上側切欠部１３ａ・２３ａ及び下側切欠部１３ｂ・２３ｂを具備している。このように構成することにより、天井吊治具１が他の部材（例えば、金具Ｃ等）と接触し難くすることができる。このため、梁Ｂに天井パネルＡを固定する作業を効率的に行うことができる。
【００８４】
また、吸着部１４・２４は、第一の板材１０及び第二の板材２０の外側面（全閉状態において対向する面とは異なる面）に固定されている。このように構成することにより、第一の板材１０及び第二の板材２０を閉じる際に吸着部１４・２４が接触することを防止できる。このため、第一の板材１０及び第二の板材２０を閉じた際に、吸着部１４・２４が破損することを防止できる。
【００８５】
また、吸着部１４・２４は、支持部１１・２１の下面（梁Ｂの下フランジＢ２に支持される面）とは異なる面に固定されている。このように構成することにより、仮固定した際に天井パネルＡから受ける荷重が吸着部１４・２４に作用し難くすることができる。このため、吸着部１４・２４が破損することを抑制できる。
【００８６】
以上、本発明の実施形態を説明したが、本発明は上記構成に限定されるものではなく、特許請求の範囲に記載された発明の範囲内で種々の変更が可能である。
【００８７】
例えば、天井吊治具１は、Ｈ形鋼によって構成される梁Ｂに支持されるものとしたが、天井吊治具１が支持される梁Ｂの種類は、これに限定されるものではなく、例えば、Ｃ形鋼等であってもよい。また、梁Ｂの材料は、金属材料に限定されるものではなく、例えば、木材等であってもよい。
【００８８】
また、第一の板材１０及び第二の板材２０は、互いの板面の成す角度（鋭角）が９０°となるまで開閉自在に連結されるものとしたが、第一の板材１０及び第二の板材２０の開閉角度はこれに限定されるものではなく、任意の角度にすることができる。
【００８９】
また、第一の板材１０及び第二の板材２０は、必ずしも開閉自在に連結される必要はなく、例えば、互いに開いた状態で固定されるものであってもよい。この場合、第一の板材１０と第二の板材２０とは、全開状態で固定されることが望ましい。これにより、互いに直交する部材（長尺材Ａ１〜Ａ３及び短尺材Ａ４〜Ａ８）に第一の板材１０及び第二の板材２０を取り付け易くなる。
【００９０】
また、天井吊治具１は、例えば、支持部１１・２１と保持部１２・２２との上下方向の間隔を調整可能に構成されるものであってもよい。このように構成することで、種々の梁Ｂに天井パネルＡを仮固定することができる。例えば、複数階の戸建て住宅等においては、最上階とそれ以外の階とで梁Ｂの形状が異なる場合がある。このような場合においても、支持部１１・２１と保持部１２・２２との間隔を調整可能に構成すれば、一種類の天井吊治具１で、全ての階の梁Ｂに天井パネルＡを仮固定することができるため、天井吊治具１の汎用性を向上することができる。
【００９１】
また、第一の板材１０及び第二の板材２０は、合板によって構成されるものとしたが、第一の板材１０及び第二の板材２０の材料は、これに限定されるものではなく、例えば、鉄等の金属材料であってもよい。また、第一の板材１０及び第二の板材２０は、互いに異なる形状（例えば、接続部１３・２３の高さが異なる形状等）であってもよい。
【００９２】
また、天井吊治具１は、第一の板材１０及び第二の板材２０を具備するものとしたが、これに限定されるものではなく、例えば、図６に示す別実施形態に係る天井吊治具１０１のような構成とすることも可能である。別実施形態に係る天井吊治具１０１は、第一の板材１０だけを具備する。このように構成することで、本実施形態に係るヒンジ３０等の連結部材が不要となるため、コストを低減することができる。
【００９３】
また、支持部１１・２１は、梁Ｂの下フランジＢ２に引っ掛けられることで支持されるものとしたが、支持部１１・２１が梁Ｂに支持される手段は、これに限定されるものではなく、例えば、上フランジＢ１と下フランジＢ２との間に嵌め合わされるものであってもよい。
【００９４】
また、保持部１２・２２は、天井パネルＡ（長尺材Ａ１〜Ａ３及び短尺材Ａ４〜Ａ８）の下面を受けるものとしたが、保持部１２・２２が天井パネルＡを保持する手段は、これに限定されるものではなく、例えば、天井パネルＡの前面及び後面（短尺材Ａ４〜Ａ８の前面及び後面）を挟持するものであってもよい。
【００９５】
また、吸着部１４・２４は、支持部１１・２１の外側面に固定されるものとしたが、吸着部１４・２４が固定される箇所は、これに限定されるものではない。吸着部１４・２４が固定される箇所は、例えば、支持部１１・２１の内側面（全閉状態となった際に互いに対向する面）や接続部１３・２３の前上端部等であってもよい。また、吸着部１４・２４は、別々の箇所に固定されていてもよい。
【００９６】
また、吸着部１４・２４は、磁石によって構成されるものとしたが、吸着部１４・２４の構成は、これに限定されるものではなく、例えば、吸盤等であってもよい。
【００９７】
また、天井吊治具１は、必ずしも吸着部１４・２４を具備する必要はない。
【００９８】
また、支持部１１・２１及び保持部１２・２２は、必ずしも切欠部１１ａ・１２ａ・２１ａ・２２ａを具備する必要はない。また、接続部１３・２３は、必ずしも上側切欠部１３ａ・２３ａ及び下側切欠部１３ｂ・２３ｂを具備する必要はない。
【符号の説明】
【００９９】
１          天井吊治具
１１・２１  支持部
１２・２２  保持部
１３・２３  接続部
Ａ          天井パネル
Ｂ          梁
【図１】
2018104989.tif 000003
【図２】
2018104989.tif 000004
【図３】
2018104989.tif 000005
【図４】
2018104989.tif 000006
【図５】
2018104989.tif 000007
【図６】
2018104989.tif 000008